(57)【要約】【課題】使用者がクリーナ本体を揺動回転させる際における操作負荷の軽減を図ることにある。また、これに加えて、或いは単独で、誤ってクリーナ本体を落下させた場合におけるバッテリの損傷を防ぐこと。【解決手段】ハウジング１１の内部にゴミが吸引されるクリーナであって、前記ハウジング１１内に吸引作用を生じさせるためのモータ１２と、前記ハウジング１１に設けられ、作業者が把持可能な把持部Ｈ１を有するハンドルと、前記ハウジング１１に設けられ、ゴミ取入口を形成する筒形状体１１１と、前記モータ１２に電力を供給するためのバッテリ２０と、を備えており、前記筒形状体１１１の軸線上の位置に前記把持部Ｈ１、バッテリ２０、モータ１２が配置されている構成とする。【選択図】図２
2014036750.tif 000002
【特許請求の範囲】
【請求項１】
ハウジングの内部にゴミが吸引されるクリーナであって、
前記ハウジング内に吸引作用を生じさせるためのモータと、
前記ハウジングに設けられ、作業者が把持可能な把持部を有するハンドルと、
前記ハウジングに設けられ、ゴミ取入口を形成する筒形状体と、
前記モータに電力を供給するためのバッテリと、を備えており、
前記筒形状体の軸線上の位置に前記把持部、バッテリ、モータが配置されていることを特徴とするクリーナ。
【請求項２】
請求項１に記載のクリーナであって、
前記バッテリの重心位置及びモータの重心位置が前記筒形状体の延長上の位置となる構成とされていることを特徴とするクリーナ。
【請求項３】
請求項１又は請求項２に記載のクリーナであって、
当該クリーナ本体全体の重心位置が前記筒形状体の延長上の位置となる構成とされていることを特徴とするクリーナ。
【請求項４】
請求項１乃至請求項３のいずれかに記載のクリーナであって、
前記ハウジングには、その一部がハンドルである環状形成部材が形成されており、前記ハウジングには当該環状形成部材が領域の一部を画する環状の空間部が形成されており、前記バッテリは前記空間部に配置されることを特徴とするクリーナ。
【請求項５】
請求項１乃至請求項３のいずれかに記載のクリーナであって、
前記ハウジングには筒形状体の軸線方向に向けて第１の柱状構成部位と第２の柱状構成部位が離間空間を有して形成されており、前記バッテリは該第１の柱状構成部位と第２の柱状構成部位の離間空間に配置されていることを特徴とするクリーナ。
【請求項６】
請求項１乃至請求項３のいずれかに記載のクリーナであって、
前記ハウジングには筒形状体の軸線方向に向けて柱状構成部位が形成されており、前記モータのスイッチが該柱状構成部位に配設されており、前記バッテリは該柱状構成部位に隣接して前記ハウジングに取付けられることを特徴とするクリーナ。
【請求項７】
ハウジングの内部にゴミが吸引されるクリーナであって、
前記ハウジング内に吸引作用を生じさせるためのモータと、
前記ハウジングに設けられ、作業者が把持可能な把持部を有するハンドルと、
前記モータに電力を供給するためのバッテリと、を備えており、
前記ハウジングには、その一部がハンドルである環状形成部材が形成されており、前記ハウジングには当該環状形成部材が領域の一部を画する環状の空間部が形成されており、
前記バッテリは前記空間部に配置されることを特徴とするクリーナ。
【請求項８】
ハウジングの内部にゴミが吸引されるクリーナであって、
前記ハウジング内に形成されるゴミ吸引経路に吸引作用を生じさせるためのモータと、
前記ハウジングに設けられ、ゴミ取入口を形成する筒形状体と、
前記モータに電力を供給するためのバッテリと、を備えており、
前記ハウジングには筒形状体の軸線方向に向けて第１の柱状構成部位と第２の柱状構成部位が離間空間を有して形成されており、前記バッテリは該第１の柱状構成部位と第２の柱状構成部位の離間空間に配置されていることを特徴とするクリーナ。
【請求項９】
ハウジングの内部にゴミが吸引されるクリーナであって、
前記ハウジング内に吸引作用を生じさせるためのモータと、
前記ハウジングに設けられ、ゴミ取入口を形成する筒形状体と、
前記モータに電力を供給するためのバッテリと、を備えており、
前記ハウジングには筒形状体の軸線方向に向けて柱状構成部位が形成されており、前記モータのスイッチが該柱状構成部位に配設されており、前記バッテリは該柱状構成部位に隣接して前記ハウジングに取付けられることを特徴とするクリーナ。
【請求項１０】
ハウジングの内部にゴミを吸引可能なクリーナであって、
吸引作用を生じさせるためのモータと、
作業者が把持可能な把持部を有するハンドルと、
前記モータに電力を供給するためのバッテリと、を備えており、
前記把持部、バッテリ、モータが同一直線状に配置されていることを特徴とするクリーナ。
【発明の詳細な説明】
【技術分野】
【０００１】
この発明は、居室などの清掃に使用されるクリーナに関する。特に、ハンディクリーナと称される小型の手持ち式クリーナに関する。
【背景技術】
【０００２】
従来から、居室などの清掃に使用されるハンディクリーナは広く知られている。ハンディクリーナはゴミ（塵埃）を収納するクリーナ本体部を使用者が把持して使用するものである。そして、クリーナ本体部はハウジングで形成されており、このハウジングには、ファンを回転させて吸引作用を生じさせ、筒形状体のゴミ取入口からゴミをハウジングのゴミ収納部に取り入れるためのモータや、このモータに電力を供給するためのバッテリを備えて構成されている。なお、バッテリは充電式で着脱可能な構成としてハウジングに取り付けられている。
【先行技術文献】
【特許文献】
【０００３】
【特許文献１】特開２００３−２２３９９８号公報
【特許文献２】特開平８−３３６４８６号公報
【発明の概要】
【発明が解決しようとする課題】
【０００４】
ところで、ハンディクリーナに備えられるバッテリは比較的重量物である。また、バッテリにより駆動されるモータも比較的重量物である。そしてハンディクリーナは小型であることから様々な場所を清掃するのに用いられる。その使用の際に手で持つクリーナ本体部のハウジングを、手で揺動回転させて使用することもある。この揺動回転の際、比較的重量物のバッテリやモータが、操作負荷となり、操作をし難く感じることがある。
また、バッテリがハウジングの外部に設けられている場合で、清掃使用時に誤ってハンディクリーナを床面などに落下させた場合には、バッテリが床面に直接衝突し、その衝撃によりバッテリが損傷するという懸念もあった。
【０００５】
本発明は、上記に鑑みて創案されたものであって、本発明が解決しようとする課題は、使用者がクリーナ本体を揺動回転させる際における操作負荷の軽減を図ることにある。また、これに加えて、或いは単独で、誤ってクリーナ本体を落下させた場合においてバッテリが損傷する可能性を減少させることにある。
【課題を解決するための手段】
【０００６】
このため、本発明は、以下に示す構成とした。
第１の発明は、ハウジングの内部にゴミが吸引されるクリーナであって、前記ハウジング内に吸引作用を生じさせるためのモータと、前記ハウジングに設けられ、作業者が把持可能な把持部を有するハンドルと、前記ハウジングに設けられ、ゴミ取入口を形成する筒形状体と、前記モータに電力を供給するためのバッテリと、を備えており、前記筒形状体の軸線上の位置に前記把持部、バッテリ、モータが配置されていることを特徴とする。
【０００７】
上記第１の発明によれば、バッテリとモータという重量物が前記筒形状体の軸線上の位置に存在する上、当該前記筒形状体の軸線上の位置に把持部が存在する。このため、使用者が把持部を掴んでクリーナを操作する際、使用者の前腕の延長上にバッテリとモータと筒形状体が位置することが可能になる。したがって、使用者がクリーナを揺動回転させる際には、その揺動回転の軸線上にバッテリやモータがあり、使用者の操作負荷の軽減を図ることができる。
【０００８】
第２の発明は、上記第１の発明において、前記バッテリの重心位置及びモータの重心位置が前記筒形状体の延長上の位置となる構成とされていることを特徴とする。
【０００９】
上記第２の発明によれば、バッテリとモータという重量物の各々の重心が前記筒形状体の延長上の位置に存在する。このため、使用者が把持部を掴んでクリーナを操作する際、使用者の前腕の延長上にバッテリとモータの重心が位置することが可能になる。したがって、使用者がクリーナを揺動回転させる際における操作負荷の軽減をより効果的に図ることができる。
【００１０】
第３の発明は、上記第１又は第２の発明において、当該クリーナ本体全体の重心位置が前記筒形状体の延長上の位置となる構成とされていることを特徴とする。
【００１１】
上記第３の発明によれば、クリーナ本体全体の重心位置が前記筒形状体の軸線上の位置に存在する。このため、使用者が把持部を掴んでクリーナを操作する際、使用者の前腕の延長上にクリーナ全体の重心が位置することが可能になる。したがって、使用者がクリーナを揺動回転させる際における操作負荷の軽減を更に効果的に図ることができる。
【００１２】
第４の発明は、上記第１乃至第３のいずれかの発明において、前記ハウジングには、その一部がハンドルである環状形成部材が形成されており、前記ハウジングには当該環状形成部材が領域の一部を画する環状の空間部が形成されており、前記バッテリは前記空間部に配置されることを特徴とする。
【００１３】
上記第４の発明によれば、バッテリは環状形成部材とハウジングとの間に形成される空間部に配置される。このため、誤ってクリーナを落下させた場合にも、環状形成部材があることにより、バッテリが床面に直接衝突する危険性を減少させることができる。
【００１４】
第５の発明は、上記第１乃至第３のいずれかの発明において、前記ハウジングには筒形状体の軸線方向に向けて第１の柱状構成部位と第２の柱状構成部位が離間空間を有して形成されており、前記バッテリは該第１の柱状構成部位と第２の柱状構成部位の離間空間に配置されていることを特徴とする。
【００１５】
上記第５の発明によれば、バッテリは第１及び第２の柱状構成部位の離間空間に配置される。このため、誤ってクリーナを落下させた場合にも、第１又は第２の柱状構成部位があることにより、バッテリが床面に直接衝突する危険性を減少させることができる。
【００１６】
第６の発明は、上記第１乃至第３のいずれかの発明において、前記ハウジングには筒形状体の軸線方向に向けて柱状構成部位が形成されており、前記モータのスイッチが該柱状構成部位に配設されており、前記バッテリは該柱状構成部位に隣接して前記ハウジングに取付けられることを特徴とする。
【００１７】
上記第６の発明によれば、スイッチとバッテリが隣接しているので、電気配線を短くすることが可能となる。
【００１８】
第７の発明は、ハウジングの内部にゴミが吸引されるクリーナであって、前記ハウジング内に吸引作用を生じさせるためのモータと、前記ハウジングに設けられ、作業者が把持可能な把持部を有するハンドルと、前記モータに電力を供給するためのバッテリと、を備えており、前記ハウジングには、その一部がハンドルである環状形成部材が形成されており、前記ハウジングには当該環状形成部材が領域の一部を画する環状の空間部が形成されており、前記バッテリは前記空間部に配置されることを特徴とする。
【００１９】
上記第７の発明によれば、バッテリは環状形成部材とハウジングとの間に形成される空間部に配置される。このため、誤ってクリーナを落下させた場合にも、環状形成部材があることにより、バッテリが床面に直接衝突する危険性を減少させることができる。
【００２０】
第８の発明は、ハウジングの内部にゴミが吸引されるクリーナであって、前記ハウジング内に形成されるゴミ吸引経路に吸引作用を生じさせるためのモータと、前記ハウジングに設けられ、ゴミ取入口を形成する筒形状体と、前記モータに電力を供給するためのバッテリと、を備えており、前記ハウジングには筒形状体の軸線方向に向けて第１の柱状構成部位と第２の柱状構成部位が離間空間を有して形成されており、前記バッテリは該第１の柱状構成部位と第２の柱状構成部位の離間空間に配置されていることを特徴とする。
【００２１】
上記第８の発明によれば、バッテリは第１及び第２の柱状構成部位の離間空間に配置される。このため、誤ってクリーナを落下させた場合にも、第１又は第２の柱状構成部位があることにより、バッテリが床面に直接衝突する危険性を減少させることができる。
【００２２】
第９の発明は、ハウジングの内部にゴミが吸引されるクリーナであって、前記ハウジング内に吸引作用を生じさせるためのモータと、前記ハウジングに設けられ、ゴミ取入口を形成する筒形状体と、前記モータに電力を供給するためのバッテリと、を備えており、前記ハウジングには筒形状体の軸線方向に向けて柱状構成部位が形成されており、前記モータのスイッチが該柱状構成部位に配設されており、前記バッテリは該柱状構成部位に隣接して前記ハウジングに取付けられることを特徴とする。
【００２３】
上記第９の発明によれば、スイッチとバッテリが隣接しているので、電気配線を短くすることができうる。
【００２４】
第１０の発明は、ハウジングの内部にゴミを吸引可能なクリーナであって、吸引作用を生じさせるためのモータと、作業者が把持可能な把持部を有するハンドルと、前記モータに電力を供給するためのバッテリと、を備えており、前記把持部、バッテリ、モータが同一直線状に配置されていることを特徴とする。
【００２５】
上記第１０の発明によれば、把持部とバッテリとモータは同一直線上に配置される。このため、使用者が把持部を掴んでクリーナを操作する際、使用者の前腕の延長上にバッテリとモータが位置することが可能になる。したがって、使用者がクリーナを揺動回転させる際には、その揺動回転の軸線上にバッテリやモータがあり、使用者の操作負荷の軽減を図ることができる。
【発明の効果】
【００２６】
本発明は上述した手段により、使用者がクリーナ本体を揺動回転させる際における操作負荷の軽減を図ることができる。また、これに加えて、或いは単独で、誤ってクリーナ本体を落下させた場合においてバッテリが損傷する可能性を減少させることができる。
【図面の簡単な説明】
【００２７】
【図１】第１実施形態のハンディクリーナ全体を示す斜視図である。
【図２】第１実施形態のクリーナ本体を示す全体断面図である。
【図３】第２実施形態のクリーナ本体を示す全体断面図である。
【図４】図２のＡ−Ａ断面図である。
【図５】図２のＡ−Ａ断面図における第１変形例である。
【図６】図２のＡ−Ａ断面図における第２変形例である。
【発明を実施するための形態】
【００２８】
以下、本発明の実施形態のハンディクリーナを図面に基づいて説明する。なお、本発明においては、ハンディクリーナのハウジングにおいてゴミ取入口側を前方向と定めている。また、上記ゴミ取入口側からハウジング中心部方向（後方向）を見て上下左右方向を定めている。
ハンディクリーナは、例えば自動車の室内清掃や小部屋の簡易な清掃等をする場合に、使用者が片手で持って使用することができる小形且つ軽量の充電式掃除機である。
【００２９】
先ず、第１実施形態について説明する。第１実施形態は図１、図２及び図４に示されている。ハンディクリーナ１００の全体が図１に示されている。ハンディクリーナ１００は、大別して、使用者が掃除するときに片手で持つクリーナ本体１と、ゴミを吸い取るための口となる広域平面用ノズル２２と、該クリーナ本体１と広域平面用ノズル２２とを接続するストレートパイプ２１とからなっている。そして、使用する際は、クリーナ本体１の後述する把持部を片手で持って操作して、広域平面用ノズル２２をゴミのある位置にもって行き、ゴミを吸い取るものである。なお、本実施形態のバッテリ２０はクリーナー本体１を形成するハウジング１１の外部に着脱可能に取付けられる構成となっている。また、クリーナ本体１、ストレートパイプ２１、及び広域平面用ノズル２２は一直線状に配置された構造体として構成されているが、広域平面用ノズル２２は次のように構成されている。すなわち、広域平面用ノズル２２は曲がり管２２１と略直方体の吸込み部２２２を回動自在に接続した構造となっている。
ここで、曲がり管２２１と略直方体の吸込み部２２２を回動自在に接続した構造とするための構成を説明する。
前記構造とするために、曲がり管２２１先端には曲がり管２２１の管径より大きな径を有する球状体を備えている。また、吸込み部２２２には、半割にした吸い込み部２２２の各々に凹部が設けられている。前記曲がり管２２１に備えられた球状体を前記吸い込み部２２２に設けられた凹部内に収まるように挟み込むことで、曲がり管２２１と略直方体の吸込み部２２２が回動自在に接続されている。
したがって、クリーナ本体１とストレートパイプ２１とを使用に際して揺動回転させると、曲がり管２２１の曲がり部を支点として球状体が変位し、広域平面用ノズル２２の吸込み部２２２の向きを変えることが可能となっている。
【００３０】
第１実施形態のクリーナ本体１の詳細構造が図２及び図４に示されている。
クリーナ本体１は、後部ハウジング１１２と、ダストカップ１１１と、で構成されるハウジング１１によって外枠が形成されている。
後部ハウジング１１２は樹脂で構成された右側ハウジング１１２Ｒと左側ハウジング１１２Ｌを締結部材１１３により締結することで一体的に構成されている。
締結部材１１３としては螺子を使用しており、当該螺子を複数使用することにより右側ハウジング１１２Ｒと左側ハウジング１１２Ｌは分離不能に固定されている。
また、本発明においては、後部ハウジング１１２はその機能により、グリップハウジング１１２ａと、モータハウジング１１２ｂと、に分けて考えることができる。
グリップハウジング１１２ａは後部ハウジング１１２の中でも、使用者が把持することができるハンドルＨを構成する部分である。当該グリップハウジング１１２ａは、その内側に電気配線などの電気部品が配置可能ともなっている。
モータハウジング１１２ｂは、後部ハウジング１１２のうち、グリップハウジング１１２ａを除いた部分である。当該モータハウジング１１２ｂは、その内側にバッテリ２０を電源として駆動する電動モータ１２や、この電動モータ１２により回転するファン１３などを収納している。
ダストカップ１１１は前端にゴミ取入口１１１ａが形成されており、樹脂の一体成形で釣鐘状に形成されている。また、前記ダストカップ１１１は前記モータハウジング１１２ｂに脱着自在に装着可能とされている。
電源となるバッテリ２０は先にも述べたようにクリーナ本体１を構成するハウジング１１の外部に着脱可能に取付けられるようになっており、クリーナ本体１から取り外して充電することにより再使用可能となっている。クリーナ本体１は、バッテリ２０を電源として駆動する電動モータ１２と、この電動モータ１２により回転するファン１３を主体とする吸引機構と、をハウジング１１に内蔵して構成されている。
クリーナ本体１内の吸引機構により吸引されたゴミ等は、集塵機構であるろ過フィルタ１４により捕獲される。当該ろ過フィルタは後部ハウジング１１２の外部に接続されているため、後部ハウジング１１２内にはゴミ等が侵入しにくい構造となっている。また、当該ろ過フィルタはダストカップ１１１で囲繞されており、捕獲されたゴミ等はダストカップ１１１とろ過フィルタ１４の間に留められる。クリーナ本体１は、ダストカップ１１１を取り外すことで２つに分離可能とされており、捕獲されたゴミ等をクリーナ本体１外部に排出することができるようになっている。
【００３１】
ハウジング１１に設けられたバッテリ取り付け部１８の上方及び下方から環状形成部材１５の第１柱状構成部位１５１と第２柱状構成部位１５２とが後方へ形成されている。この方向は、ダストカップ１１１の先端に形成されるゴミ取入口１１１ａの筒形状体の軸線方向と同じ方向である。そして、第１柱状構成部位１５１と第２柱状構成部位１５２の端部は環状形成部材１５の第３柱状構成部位１５３で一体的に連結されている。その結果、環状形成部材１５が設けられる後部ハウジング１１２の部位と、第１柱状構成部位１５１、第２柱状構成部位１５２、及び第３柱状構成部位１５３とからなる環状形成部材１５により環状の空間部Ｓ１が形成される。
本構成においては、第１柱状構成部位及び第３柱状構成部位がグリップハウジング１１２ａであり、それ以外の後部ハウジング１１２がモータハウジング１１２ｂである。
環状形成部材１５には、ハンドルＨと排気管Ｅが構成される。ハンドルＨは第１柱状構成部位１５１と第３柱状構成部位１５３によって構成され、排気管Ｅは第２柱状構成部位１５２によって構成される。なお、環状形成部材１５により構成されるこれら環状の空間部Ｓ１、及びハンドルＨや排気管Ｅの構成位置は、ダストカップ１１１の先端に形成される筒形状体のゴミ取入口１１１ａとは反対側のハウジング１１の後側位置となっている。
【００３２】
ハンドルＨを構成する第１柱状構成部位１５１と第３柱状構成部位１５３の内周側には、使用者が指先で引き操作する一つのスイッチレバー１６が設けられている。なお、このハンドルＨには第３柱状構成部位１５３に第１把持部Ｈ１が構成設定されている。また、第１柱状構成部位１５１に第２把持部Ｈ２が構成設定されている。これら第１把持部Ｈ１及び第２把持部Ｈ２共、それぞれ使用者が片手で把持することができる構造とされている。前記スイッチレバー１６は前記第１把持部Ｈ１及び第２把持部Ｈ２の双方に隣接して設けられている。よって使用者は第１把持部Ｈ１を把持しても第２把持部Ｈ２を把持してもハンドルＨを把持する手でスイッチレバー１６を引き操作することが可能となっている。これにより、第１把持部Ｈ１を把持している場合には、人差し指でスイッチレバー１６を操作することを可能とし、第２把持部Ｈ２を把持している場合には、小指若しくは薬指などでスイッチレバー１６を操作することを可能とする。このスイッチレバー１６を引き操作すると、バッテリ２０から電動モータ１２に給電されて電動モータ１２が起動してゴミ取入口１１１ａから粉塵等を吸引することができる。
なお、第３柱状構成部位１５３と、第１柱状構成部位１５１と、の連結構成はＴ字形結合とされている。つまり、第１柱状構成部位１５１の後端部が第３柱状構成部位１５３の配置位置から後方に僅か突出した構成となっている。当該構成であると、第３柱状構成部位１５３を把持した際に、この突出部により把持した手が常に位置決めされるので、使用者が把持しやすい。
また、第３柱状構成部位１５３は第１柱状構成部位１５１との結合端部側が第２柱状構成部位１５２との結合端部側と比較して相対的にゴミ取入口１１１ａ側となるように傾いて形成されている。すなわち、第３柱状構成部位１５３は上方が前方向に傾いて形成されている。これにより、把持する前腕の長手方向をゴミ取入口１１１ａの筒形状体の軸方向と同方向となるように把持することがし易くなる。
また、前記第３柱状構成部位１５３の形状は、第３柱状構成部位１５３を把持した際における手の平の中心が、ゴミ取入口１１１ａの筒形状体の延長上となるように構成されている。このため、ゴミ取入口１１１ａの筒形状体の軸線を中心軸とした揺動回転は行ない易くなっている。
また、前記第３柱状構成部位１５３は第２柱状構成部位１５２との結合端部側の握り部の大きさが、第３柱状構成部位１５３の中央部位置の握り部の大きさに比べて小さくなるように形成されているので、把持しやすくなっている。
【００３３】
本実施形態においては、第２把持部Ｈ２が、第１把持部Ｈ１とは別に設定構成されている。このため、周囲に障害物のない場所の清掃をする時には第１把持部Ｈ１を持ち、机の下など、周囲に障害物のある場所の清掃を行う時には第２把持部Ｈ２を持つなど、使用環境に応じて持ち方を変更して使用することが可能となっている。なお、第１把持部Ｈ１及び第２把持部Ｈ２の一部はエラストマ樹脂で覆われているため、握り心地も良好なものとなっている。
また、環状形成部材１５の適宜位置には図示しない吊り下げ用のストラップが取り付けられており、ハンディクリーナを吊り下げて保管する場合等における便宜が図られるようになっている。また、環状形成部材１５の第１柱状構成部位１５１には暗所での清掃時に便利な照明具１９が備え付けられている。この照明具１９は、第１柱状構成部位１５１のゴミ取入口１１１ａ側であって前方に障害物がない部位に出っ張らない状態に組み込まれている。この照明具１９によって主としてゴミ取入口１１１ａの周辺が明るく照らされる。この照明具１９の光源にはＬＥＤ（発光ダイオード）が用いられているが、ＬＥＤに代えて白熱電球や蛍光灯を用いてもよい。この照明具１９の電源としてもバッテリ２０が利用される。
【００３４】
環状形成部材１５にはハンドルＨとともに排気管Ｅが設けられている。排気管Ｅは第２柱状構成部位１５２に設けられている。排気管Ｅの端部にはルーバー１５２ａが設けられている。ルーバー１５２ａはクリーナ本体１から排出される排気の進行方向を変えることができる。したがって、使用者の体がクリーナ本体１の長手方向の延長上に位置していても、ルーバー１５２ａで排気の進行方向を変えれば、排気が使用者にあたらないようにすることが可能とされている。
ルーバー１５２ａが設けられている排気管Ｅの端部は図２で見て左側位置にあり、ハウジング１１の先端に取付けられるゴミ取入口１１１ａの筒形状体とは、該筒形状体の軸線方向で見てハウジング１１を挟んだ対称位置にある。そして、ゴミ取入口１１１ａにおける吸入流と排気管Ｅの端部における排気流の進行方向が同一方向であるので、クリーナ本体１内を通過する気体の圧力損失を軽減することができうる。
【００３５】
バッテリ２０はハウジング１１に形成される環状の空間部Ｓ１に配設されて、ハウジング１１の外部に着脱可能に取付けられる。詳細には、環状の空間部Ｓ１を形成するハウジング１１の外面部位にバッテリ取り付け部１８が設けられており、このバッテリ取り付け部１８にバッテリ２０が着脱可能に取付けられている。このバッテリ２０のバッテリ取り付け部１８に対する着脱は、特定方向にスライドさせることにより行われる。この着脱方向は、環状の空間部Ｓ１の空間開口方向であり、かつ、ゴミ取入口１１１ａの筒形状体の軸方向と垂直な方向である。なお、バッテリ２０のバッテリ取り付け部１８への取付け方向と取り外し方向とは逆方向となっている。このためバッテリ２０のバッテリ取り付け部１８への着脱は環状の空間部Ｓ１の一方の開口側から行なわれるようになっている。
バッテリ取り付け部１８には、プラスの端子２３ａ及びマイナスの端子２３ａが後方へと突出して形成されている。また、当該プラスの端子２３ａ及びマイナスの端子２３ａは、左右方向に長く形成されている。
また、当該バッテリ取り付け部１８の端子２３ａに対応する端子として、プラスの端子２３ｂとマイナスの端子２３ｂがバッテリ２０に設けられている。
バッテリ２０及びバッテリ取り付け部１８には互いに係合可能な、係合凹部若しくは係合凸部が設けられている。当該係合凹部と係合凸部は、バッテリ取り付け部１８に対してバッテリ２０がスライド装着可能となるように構成されている。
バッテリ２０はバッテリ取り付け部１８に対して右方向からスライドさせることによって、バッテリ取り付け部１８に対して固定される。このため、環状形成部材１５を複雑な形状とする必要がない。すなわち、バッテリ２０を上下方向若しくは前後方向からスライドさせることによってバッテリ取り付け部１８に固定する場合には、複雑な形状となってしまう。しかし、バッテリ２０を左右方向にスライドさせることで固定する構成を採用することによって、当該複雑な形状を採用する必要性がなくなる。
バッテリ２０は環状の空間部Ｓ１の中で下方に配置されている。すなわち、第１柱状構成部位１５１に対してバッテリ２０は離間している。また、第２柱状構成部位１５２に対してバッテリ２０は近接している。このため、第１柱状構成部位１５１に設ける第２把持部Ｈ２を良好に確保できる。
【００３６】
回路基板１７はバッテリ取り付け部１８に対向するように隣接配置しており、当該回路基板１７は電動モータ１２の端子が配設されている面と対向するように前方に隣接配置されている。
そして、図２に示すようにゴミ取入口１１１ａとろ過フィルタ１４とファン１３と電動モータ１２と回路基板１７とバッテリ２０と第１把持部Ｈ１は略同一直線上になるように配置されている。
特に、バッテリ２０と電動モータ１２はクリーナ本体１の構成において重量比率が高いものであるが、第１把持部Ｈ１とバッテリ２０と電動モータ１２が同一直線上にあることで、使用時に第１把持部Ｈ１を持ちながら当該直線を軸に揺動回転操作を行う際、使用者の操作負担が軽減される。これは、揺動回転操作に必要な力は被回転物の重心位置と回転軸との距離に略比例するが、回転軸上に被回転物があれば被回転物の重心位置と回転軸との距離が短くなり、回転操作に必要な力を軽減させることが可能となることによる。
特に、クリーナにおいてはゴミ取入口１１１ａの筒形状体を中心に揺動回転操作することが多いため、ゴミ取入口１１１ａを形成する筒形状体の軸線上の位置に第１把持部Ｈ１とバッテリ２０と電動モータ１２が位置することが望ましい。
【００３７】
図２において、バッテリ２０の取付け状態における重心位置はＧ１で示され、電動モータ１２の重心位置はＧ２で示され、クリーナ本体１全体の重心位置はＧ０で示されている。そして、ゴミ取入口１１１ａの筒形状体の軸線方向に延長した領域の境界の一部分が破線Ｔで示されている。この筒形状体の軸線方向に延長した領域内に前記バッテリ２０の重心位置Ｇ１，電動モータ１２の重心位置Ｇ２，及びクリーナ本体１全体の重心位置Ｇ０の全てが位置するように本実施形態のクリーナ本体１は構成されている。なお、上記における筒形状体の軸線方向に延長した領域とは、ゴミ取入口１１１ａのうち筒形状である部分の内周面に関し、ゴミ取入口１１１ａの軸線方向に対する垂直断面積のうち最大の面積を有する部分についてゴミ取入口１１１ａの軸線方向に延長した場合に形成される領域を意味している。
上記の重心位置の構成であれば、バッテリ２０を装着している際もバッテリ２０を取り外している際も、重心位置がゴミ取入口１１１ａの筒形状体の延長上にある。バッテリ２０を取り外している際は、ゴミ取入口１１１ａを下方に向けて持つことが多いが、この持ち方の場合、バッテリ２０を装着した際と取り外した際ではその重心位置が略垂直方向に移動するのみとなりうるので、バッテリ２０の装着の有無による重心位置の変動を使用者が気にならない範囲に留めることが可能となる。
本実施形態においては、バッテリ２０装着時のクリーナ本体１全体の重心位置Ｇ０が電動モータ１２の軸線上にあり、バッテリ２０と電動モータ１２の間に配置する回路基板１７を配設する位置と略一致する。
【００３８】
上記バッテリ２０は、電圧１４．４Ｖの充電式リチウムイオンバッテリで、別途用意する充電器で充電して繰り返し使用することができる。
一般にリチウムイオンバッテリは、ニッケル水素バッテリに比して軽量である。例えば、市場で一般的に流通するニッケル水素バッテリで、電圧１４．４Ｖ、公称容量３．３Ａｈのものは重さ１０２０ｇであるのに対して、同じく電圧１４．４Ｖ、公称容量３．０Ａｈのリチウムイオンバッテリは重さ５００ｇ程度であり、約１／２に軽量化されている。従って、リチウムイオンバッテリを電源として用いることによりハンディクリーナを全体として軽量化することができる。
【００３９】
以上のように構成された第１実施形態のハンディクリーナによれば、次のような作用効果が得られる。
先ず、上記実施形態のハンディクリーナは、環状形成部材１５の第３柱状構成部位１５３に構成される第１把持部Ｈ１と、環状の空間部Ｓ１に配設されるバッテリ２０と、ハウジング１１内に装備される電動モータ１２とが、一直線上に配置されて構成されている。そして、これらはハウジング１１の先端部に取付けられるゴミ取入口１１１ａの筒形状体の軸線上に配置されて構成されている。このため、クリーナ使用時にクリーナ本体１を揺動回転しながら使用する際の操作負荷の軽減を図ることができる。
特に、本実施形態においては、バッテリ２０の重心位置Ｇ１，電動モータの重心位置Ｇ２、及びクリーナ本体１全体の重心位置Ｇ０が前記ゴミ取入口１１１ａの筒形状体の延長線上の領域内にあるように構成されているので、より操作負荷の軽減を図ることが可能となっている。更には、前記各重心位置Ｇ１，Ｇ２，Ｇ０は前記ゴミ取入口１１１ａの筒形状体の中心軸線上の位置にあるように構成されれば、最も操作負荷の軽減を図ることが可能となる。
次に、上記実施形態においては、バッテリ２０は環状形成部材１５とハウジング１１の一部の外面部位とにより形成される環状の空間部Ｓ１内に配設される構成となっている。このため、使用時に誤ってクリーナ本体１を落下させるようなことがあっても、バッテリ２０は直接に床面に当たることが阻止され保護されうる。すなわち、バッテリ２０は環状形成部材１５に保護された状態で落下するため、バッテリ２０が損傷する可能性が少なくなる。
更に、上記実施形態によれば、ハンドルＨの近傍に設けたバッテリ取り付け部１８に対してバッテリ２０をスライドさせて取り付け、取り外しすることができる。
更に、上記実施形態のバッテリ２０の配設位置は、従来のバッテリをクリーナ本体内に組み込んで取付ける本体組み込み式とは異なって、ハンディクリーナのハウジング１１の外面部位の一部に装着する形態のいわゆるカートリッジ式である。このため、バッテリ２０の取り付け、取り外しに際して蓋等を開閉する必要がなく、この点でバッテリ２０の取り付け、取り外し操作についてハンディクリーナの使い勝手（操作性）を高めることができる。
更に、上記実施形態は、バッテリ２０をハウジング１１内に収容する組み込み式ではなく、クリーナ本体１に対して露出した状態に取り付けるカートリッジ式であるので、クリーナ本体１のバッテリ取り付け部１８に対する取り付け寸法関係についてのみ一致させれば、そのサイズを問わず他形態のハンディクリーナ若しくは電動工具との間でバッテリを共用化することができる。
また、広範囲の電圧に対する電動モータ１２あるいは変換回路により、例えば１２Ｖ、１４．４Ｖあるいは１８Ｖといったように異なる電圧のバッテリ２０を使用できるようになる。
【００４０】
次に、第２実施形態について説明する。
第２実施形態のハンディクリーナのクリーナ本体３が図３に示されている。図３は上記した第１実施形態を示す図２に対比して図示されている。この第２実施形態の構成において第１実施形態と異なる構成箇所は、スイッチに関する構成箇所である。その他の構成は実質的に同じであるので、第１実施形態と同じ符号を付することにより詳細説明は省略する。
第２実施形態のスイッチは、図３に示されているように、スイッチは引き操作をすることでオンするトリガースイッチではなくスイッチプレート３６の電子スイッチを押すことでオンさせるスイッチである。
スイッチプレート３６はハウジング１１から延設する第１柱状構成部位１５１の根元に照明具１９と隣接して配置している。
バッテリ取り付け部１８と回路基板１７を接続する配線として、Ａ配線２４ａを設けている。また、回路基板１７と電動モータ１２を接続する配線として、Ｂ配線２４ｂを設けている。また、回路基板１７とスイッチプレート３６を接続する配線として、Ｃ配線２４ｃを設けている。また、回路基板１７と照明具１９を接続する配線として、Ｄ配線２４ｄを設けている。第１実施形態において詳述はしていないが、当該構成は第１実施形態においても同様である。
第２実施形態では、図３に示されているように、電気配線を必要とする部品をクリーナ本体３の中央部に集中させている。その結果、クリーナ本体３の長手方向の長さに対して四等分した際の把持部側中央の１／４の長さ領域に電気配線が集中するので、クリーナ本体３に必要な配線の長さを短くすることが可能となっている。
この第２実施形態においても、上記した第１実施形態において記載した作用効果と実質的に同じ作用効果を得ることができるものである。
【００４１】
次に第１実施形態の変形例について説明する。
図５に示されているのは、第１実施形態のＡ−Ａ断面図を変形させた第１の変形例である。
図５に示されている構成が図４に示されている構成と異なる点は、第２柱状構成部位１５２の左右方向の幅の長さである。すなわち、図４に示されている構成においては、第２柱状構成部位１５２の左右方向の幅はバッテリ２０の左右方向の幅よりも若干短く構成されているが、図５に示されている構成においては、第２柱状構成部位１５２の左右方向の幅はバッテリ２０の左右方向の幅よりも長く構成されている点である。
図５に示されているように、第２柱状構成部位１５２の左右方向の幅がバッテリ２０の左右方向の幅よりも長く構成されていれば、クリーナ１００が横転した状態で床に落下した際にも、第２柱状構成部位１５２が床に接触する可能性が高くなる。よって、バッテリ２０が損傷する可能性を低減させることが可能である。
図６に示されているのは、第１実施形態のＡ−Ａ断面図を変形させた第２の変形例である。
図６に示されている構成が図４及び図５に示されている構成と異なる点は、第２柱状構成部位１５２の左右方向の幅の長さである。すなわち、図４及び図５に示されている構成においては、第１柱状構成部位１５１及び第２柱状構成部位１５２と接する平面上にバッテリ２０の一部が現れるが、図６に示されている構成においては、第１柱状構成部位１５１及び第２柱状構成部位１５２と接する平面上にバッテリ２０の一部が現れない点である。
図６に示されているように、第１柱状構成部位１５１及び第２柱状構成部位１５２と接する平面上にバッテリ２０の一部が現れない構成であれば、クリーナ１００が傾いた状態で床に落下した場合にも、バッテリ２０よりも第１柱状構成部位１５１又は第２柱状構成部位１５２が床に接触する可能性が更に高くなり、バッテリ２０の損傷の可能性を更に低減させることができる。
【００４２】
以上、本発明の２つの実施形態及び２つの変形例について説明したが、本発明は上記のほか各種の形態で実施可能なものである。
例えば、バッテリはゴミ取入口の軸方向と垂直な方向から出し入れ可能な構造とすることも可能であるし、ゴミ取入口の軸方向に対して傾斜させる方向から出し入れ可能な構造とすることも可能である。
また、上記実施形態においてはバッテリをハウジングの外部に設けているが、ハウジング内に設ける構造とすることも可能である。
また、上記実施形態においてはろ過フィルタを用いた集塵方法を採用しているが、遠心分離や電気集塵などの各種の集塵手段を採用することが可能であるし、２以上の集塵手段を併用することも可能である。
また、第１実施形態ではスイッチレバーを１つとしたが、２以上のスイッチレバーを設けても良い。また、スイッチレバーと押しボタンを併用しても良い。
また、ハウジングから延設形成する部材について、第３柱状構成部位を設けず、第１柱状構成部位と第２柱状構成部位のみを設ける形態も可能であり、第２及び第３柱状構成部位を設けず、第１柱状構成部位のみを設ける形態も可能である。
【符号の説明】
【００４３】
１、３    クリーナ本体
１１      ハウジング
１２      電動モータ
１３      ファン
１４      ろ過フィルタ
１５      環状形成部材
１６      スイッチレバー
１７      回路基板
１８      バッテリ取り付け部
１１１    ダストカップ
１１１ａ  ゴミ取入口（筒形状体）
１１２    後部ハウジング
１１２ａ  グリップハウジング
１１２ｂ  モータハウジング
１１２Ｒ  右側ハウジング
１１２Ｌ  左側ハウジング
１１３    締結部材
１５１    第１柱状構成部位
１５２    第２柱状構成部位
１５２ａ  ルーバー
１５３    第３柱状構成部位
２０      バッテリ
２１      ストレートパイプ
２２      広域平面用ノズル
２３ａ    端子（バッテリ取り付け部）
２３ｂ    端子（バッテリ）
２４ａ    Ａ配線
２４ｂ    Ｂ配線
２４ｃ    Ｃ配線
２４ｄ    Ｄ配線
３６      スイッチプレート
Ｓ１      環状空間
Ｇ１      バッテリの重心位置
Ｇ２      電動モータの重心位置
Ｇ０      クリーナ本体全体の重心位置
Ｔ        ゴミ取入口の筒形状体の軸線方向に延長した領域の境界
【図１】
2014036750.tif 000003
【図２】
2014036750.tif 000004
【図３】
2014036750.tif 000005
【図４】
2014036750.tif 000006
【図５】
2014036750.tif 000007
【図６】
2014036750.tif 000008